(57)【特許請求の範囲】
【請求項１】
窯業系無機質板からなる外装材の表面に所定の間隔をあけて筒状部材とほぼ同じ幅の複数の凹溝を一定のピッチでリピートして形成し、筒状部材を配設する凹溝に、凹溝側の外形形状が凹溝の断面形状とほぼ同じに形成されている保持金具を取り付け、この保持金具に筒状部材を保持させることで凹溝に筒状部材の一部を収納して外装材に筒状部材を取り付けて成り、筒状部材の凹溝に収納される部分の外形形状と凹溝の断面形状とを略一致させ、更に凹溝の底面には縦方向に長い複数本のＶ溝が形成されていることを特徴とする外壁構造。
【発明の詳細な説明】
【技術分野】
【０００１】
本発明は、住宅などの建物全般に適用される外壁構造に関するものである。
【背景技術】
【０００２】
従来より、建物の外壁に雨樋である縦樋などの筒状部材を取り付けることが行われている。縦樋は住宅では必需品であるが、色などを外壁の表面の色に合わせることも希で、非常に目立つ存在であり、外壁の外観を低下させるノイズとなっていた。すなわち、図３に示すように、縦樋３０は、柱や胴縁などで形成される壁下地３２の屋外側にコーナー部材３５や外装材（外壁材）３３を取り付けて外壁３１を形成し、この外壁３１の外装材３３の表面に樋保持金具３４を取り付け、この樋保持金具３４に保持させることによって、外壁３１に取り付けるようにしており、縦樋３０は外壁３１の表面から４０〜６０ｍｍ突出した状態に配設されるものであった。
【０００３】
そこで、縦樋の全体をカバーで覆って目立たないようにすることが提案されているが（例えば、特許文献１参照）、縦樋と同等長さのカバーが別途必要となったりカバーを取り付ける作業が別途必要となったりし、施工費や施工作業が増加するという問題があった。
【特許文献１】実公平８−００５２２７号公報
【発明の開示】
【発明が解決しようとする課題】
【０００４】
本発明は上記の点に鑑みてなされたものであり、施工費や施工作業の増加を抑えながら外壁の外観低下を防止することができる外壁構造を提供することを目的とするものである。
【課題を解決するための手段】
【０００５】
本発明の請求項１に係る外壁構造は、窯業系無機質板からなる外装材１の表面に所定の間隔をあけて筒状部材３とほぼ同じ幅の複数の凹溝２を一定のピッチでリピートして形成し、筒状部材３を配設する凹溝２に、凹溝２側の外形形状が凹溝２の断面形状とほぼ同じに形成されている保持金具１２を取り付け、この保持金具１２に筒状部材３を保持させることで凹溝２に筒状部材３の一部を収納して外装材１に筒状部材３を取り付けて成り、筒状部材３の凹溝２に収納される部分の外形形状と凹溝２の断面形状とを略一致させ、更に凹溝２の底面には縦方向に長い複数本のＶ溝が形成されていることを特徴とするものである。
【発明の効果】
【０００８】
請求項１の発明では、凹溝２に筒状部材３の一部を収納して外装材１の表面への筒状部材３の突出寸法を小さくすることができ、筒状部材３を取り付けたことによる外壁の外観低下を防止することができるものである。しかも、筒状部材３を覆うためのカバーやそれを取り付けるための作業が必要でなくなり、施工費や施工作業の増加を抑えることができるものである。更に、筒状部材３の一部３ａを凹溝２内にがたつき無く収納しやすくなって、筒状部材３の施工が行いやすくなり、複数の凹溝２、２…のうちの一つを選択して筒状部材３を取り付けることができ、筒状部材３の取り付け位置の自由度を向上させることができるものである。
【発明を実施するための最良の形態】
【００１１】
以下、本発明を実施するための最良の形態を説明する。
【００１２】
本発明の外壁構造は、外装材１に筒状部材３を取り付けて形成されるものである。
【００１３】
外装材１は外壁材などの外壁１０の表面を構成する面材であって、矩形板状の窯業系無機質板（サイディング）を用いることができる。ここで、窯業系無機質板は、セメントなどの水硬性膠着材に珪砂等の無機充填剤やパルプなどの繊維質材料等を配合し、これを所望の形状に成形した後に養生硬化させて作製されるものを用いることができる。また、外装材１には縦方向の全長にわたって凹溝２が形成されている。外装材１には所定の間隔（１０〜５００ｍｍ程度）を介して複数の凹溝２、２…を横方向に並べて設けることができ、この凹溝２と、隣り合う凹溝２、２の間の凸条２６とで外装材１の表面に凹凸模様を形成することができる。このように複数の凹溝２、２…を外装材１の表面模様のようにして一定のピッチでリピートして設けることによって、外装材１の筒状部材３の取り付け位置の自由度を高めることができる。また、凹溝２の底面には縦方向に長い複数本のＶ溝等の細いライン１１、１１…が形成されている。このライン１１は後述の保持金具１２を取り付ける際の位置決めの目印となり、また凹溝２を流れ落ちる雨水等のガイドとなるものである。さらに、外装材１の横方向の一方の端部には雄実１３が、他方の端部には雌実１４が形成されている。尚、外装材１は通常の流通サイズである４５５ｍｍ×１０尺等の大きさに形成することができる。
【００１４】
筒状部材３は樹脂成型品等で略角筒状に形成されるものであって、例えば、縦樋、エアコンのホースカバー、電気引き込み線のカバー隠しなどを例示することができる。また、筒状部材３の両方の外側面には縦方向の全長にわたって係止溝１５が設けられている。
【００１５】
そして、本発明の外壁構造は以下のようにして形成することができる。まず、柱や胴縁などで形成される壁下地の屋外側に複数枚の外装材１、１…を縦横に並べて取り付けて外壁１０を形成する。ここで、凹溝２が縦方向に長くなるように外装材１を配設する。また、横方向に並べた外装材１、１は雄実１３と雌実１４の連結により接続することができ、この接続部分は凹溝２と似たような外観となって、見分けにくくなるものである。また、縦方向に並べた外装材１、１は上下端部を突き合わせて接続することができるが、上側の外装材１と下側の外装材１の間に幕板１６などの他の外装材を設けても良い。
【００１６】
次に、筒状部材３を配設する凹溝２に保持金具１２を取り付ける。保持金具１２は、平板状の固定板１７と、固定板１７の両側端部から斜め前方に向かって突出する傾斜突出片１８、１８と、各傾斜突出片１８から前方に向かって突出する係止片１９と、各係止片１９から内側方に向かって突出する係止突起２０、２０とから構成されている。ここで、凹溝２の断面形状と保持金具１２の凹溝２側の外形形状はほぼ同じに形成されている。すなわち、凹溝２の底面２ａと両側面の傾斜面２ｂ、２ｂからなる断面形状と、保持金具１２の固定板１７の外面（凹溝２側の表面）と傾斜突出片１８、１８の外面（凹溝２側の表面）とからなる保持金具１２の凹溝２側の外形形状とが、ほぼ一致する形状に形成されている。そして、凹溝２の内側に保持金具１２の固定板１７と傾斜突出片１８の大部分を納めるようにして凹溝２に保持金具１２を取り付けるが、凹溝２の底面２ａに固定板１７の外面を接触させた状態でビス等の固定具２１で固定する。また、上記のように、凹溝２の断面形状と保持金具１２の凹溝２側の外形形状はほぼ同じに形成されているため、外装材１の表面における保持金具１２の突出寸法を小さくすることができ、保持金具１２を見えにくくすることができるものであり、外壁１０をノイズが少ないすっきりとした外観にすることができる。保持金具１２は縦方向に複数個配設することができる。
【００１７】
次に、保持金具１２を取り付けた凹溝２に沿って縦方向に長く筒状部材３を配設する。筒状部材３は一対の側壁部２２、前壁部２３、後壁部２４、傾斜壁部（側壁部２２と前壁部２３との間及び側壁部２３と後壁部２４との間の部分）２５とで囲まれて筒状に形成されており、後壁部２４とその両側に連接される傾斜壁部２５とで構成される部分の外面（凹溝２側の表面）が、凹溝２の底面２ａと両側面の傾斜面２ｂ、２ｂからなる断面形状とほぼ一致するように形成されている。そして、凹溝２の断面形状とを略一致する筒状部材３の凹溝２側の部分３ａを凹溝２に収納するようにして、外装材１に筒状部材３を取り付ける。筒状部材３の取り付けは、保持金具１２の一対の係止片１９、１９の間に差し込んで、筒状部材３の外側面の係止溝１５に保持金具１２の係止突起２０を嵌め込んで係止することにより、保持金具１２に保持させるようにする。
【００１８】
上記のように形成される本発明の外壁構造では、凹溝２に筒状部材３の一部を収納して外装材１の表面への筒状部材３の突出寸法を小さくすることができ、筒状部材３を取り付けたことによる外壁の外観低下を防止することができるものであり、すっきりとした納まりの良い外観となるものである。また、凹溝２を設けたことによる外装材１の表面の凹凸模様の深さ中に筒状部材３を収納して、外装材１（外壁１０）の凹凸模様のピッチと筒状部材３との外観を共通化して両者を馴染ませることができ、筒状部材３が外壁１０の外観のノイズとなることを少なくすることができるものである。また、外装材１の凹凸模様を筒状部材３のディテールに合わせて各部分の角度や雄実１３や雌実１４を形成することにより、より一層、筒状部材３の納まりが良くなるものである。しかも、外壁１０の外観を向上させるために、筒状部材３のカバーなどの別部材を施工する必要が無く、施工費や施工作業の増加を抑えることができるものである。
【図面の簡単な説明】
【００１９】
【図１】本発明の実施の形態の一例を示し、（ａ）は一部の正面図、（ｂ）は一部の断面図である。
【図２】同上の外装材の一例を示し、（ａ）は一部の正面図、（ｂ）は断面図である。
【図３】従来例を示す一部の断面図である。
【符号の説明】
【００２０】
１  外装材
２  凹溝
３  筒状部材
【図１】
0005596264.tif 000002
【図２】
0005596264.tif 000003
【図３】
0005596264.tif 000004